(57)【要約】【課題】簡単な構成によって、フィルタのメンテナンスの手間を低減する自動清掃装置を提供すること。【解決手段】フィルタ１とフィルタ１上を左右に駆動する清掃用刷毛３と回収装置６により構成されるフィルタ清掃装置を具備する空気調和機において、清掃用刷毛３の真下に受け皿５を設けて、更に回収装置６のベルト９上に薄板１０を設けたことによって、フィルタ清掃の際に落下する埃が熱交換器に付着するのを防止でき、清掃用刷毛３に付着した埃を清掃する際に受け皿５にたまった埃も同時に清掃することができるので空気調和機の性能低下が実現できる。【選択図】図１
2010112564.tif 000002
【特許請求の範囲】
【請求項１】
空気の吸込みおよび吹出しを行なう送風ファンと、前記送風ファンの風路中に設けた熱交換器と、前記熱交換器に流入する空気中の塵埃を捕集するエアフィルタと、前記エアフィルタに捕集された塵埃を除去する塵埃除去用刷毛と、前記塵埃除去用刷毛で掃き取られて刷毛に付着したり刷毛の間に入り込んだ塵埃を除去する刷毛掃除手段、とを有する空気調和機であって、前記刷毛掃除手段は前記塵埃除去用刷毛に当たりながら、順次、相対的に移動することを特徴とする空気調和機。
【請求項２】
塵埃除去用刷毛が移動することによって、塵埃除去用刷毛でエアフィルタ上の塵埃を掃き取り取り、除去することを特徴とする請求項１記載の空気調和機。
【請求項３】
エアフィルタが移動することによって、塵埃除去用刷毛でエアフィルタ上の塵埃を除去することを特徴とする請求項１記載の空気調和機。
【請求項４】
刷毛掃除手段を薄板とし、前記薄板の面側を塵埃除去用刷毛に対して当てることを特徴とする、請求項１〜３のいずれか１項に記載の空気調和機。
【請求項５】
塵埃除去用刷毛の長手方向に対して駆動可能なベルトを有し、前記ベルトの上に刷毛掃除手段である薄板を少なくとも一つ配置することを特徴とする請求項１〜４のいずれか１項に記載の空気調和機。
【請求項６】
ベルトの上に設置された薄板が、ゴムなどに代表される軟質材であることを特徴とする請求項５記載の空気調和機。
【請求項７】
エアフィルタを介して少なくとも前記塵埃除去用刷毛と対向する位置に、塵埃受け手段を設けたことを特徴とする請求項１〜６のいずれか１項に記載の空気調和機。
【請求項８】
塵埃受け手段を皿状とし、塵埃除去用刷毛と同一線上に位置して更に塵埃除去用刷毛と同期しながら移動することを特徴とする請求項７記載の空気調和機。
【請求項９】
塵埃を回収する塵埃回収手段を有することを特徴とする請求項１〜８のいずれか１項に記載の空気調和機。
【発明の詳細な説明】
【技術分野】
【０００１】
本発明は、エアフィルタの清掃を自動的に行うようにした空気調和機に関するものである。
【背景技術】
【０００２】
従来、この種の空気調和機におけるフィルタ装置は、清掃用刷毛によりエアフィルタを掃き取り、清掃用刷毛についた塵埃を除去する除去用ブラシを備えた構成になっている。
【０００３】
図６は、特許文献１に記載された従来の空気調和機のフィルタ装置を示した図である。図６に示すように、この空気調和機のフィルタ装置は、フィルタ枠２３２にエアフィルタ２３１が取り付けられ、エアフィルタ２３１に沿って移動可能な刷毛支持枠２６２に掃除用刷毛２６７が取り付けられている。更に、フィルタ装置の左端には、集塵容器２８１が設置され、集塵容器２８１には除去ブラシ２７１が取り付けられた構成となっている。
【０００４】
ここで、エアフィルタ２３１の清掃は、清掃用刷毛２６７がエアフィルタ２３１上を移動して、エアフィルタ２３１上に付着した塵埃を掃き取ることで行なわれる。更に、清掃用刷毛２６７に絡みついた塵埃は、集塵容器２８１に設けられた除去ブラシ２７１によって取り除かれ、回収される。
【特許文献１】特開２００８−５７８６４号公報
【発明の開示】
【発明が解決しようとする課題】
【０００５】
しかしながら、前記従来の構成では、エアフィルタ２３１の清掃用刷毛２６７についた塵埃を除去するために除去用ブラシ２７１と、更に除去用ブラシ２７１を清掃する塵埃戻り防止ブラシが必要となり、構造が複雑になるという課題があった。また、清掃用刷毛２６７と熱交換器の間には、エアフィルタ２３１だけしか存在していないため、清掃用刷毛２６７で掃き取った際にエアフィルタ２３１の目よりも細かい埃はフィルタ目の間からすり抜けて落下して、その結果、落下した埃が熱交換器のフィンの間に詰まり、性能が低下してしまうという課題も有していた。
【０００６】
本発明は、前記従来の課題を解決するもので、簡単な構成で、かつ空気調和機の性能低下の防止が可能となるフィルタ装置を備えた空気調和機を提供することを目的とする。
【課題を解決するための手段】
【０００７】
前記従来の課題を解決するために、本発明の空気調和機のフィルタ装置は、塵埃除去用刷毛と、前記塵埃除去用刷毛で掃き取られて刷毛に付着したり刷毛の間に入り込んだ塵埃を除去する刷毛掃除手段とを有し、前記刷毛掃除手段は前記塵埃除去用刷毛に当たりながら、順次、相対的に移動する構成としてある。
【０００８】
これによって、簡単な構成によって熱交換器の目詰まりによる能力低下を抑えることができる。
【発明の効果】
【０００９】
本発明の空機調和機は、簡単な構成で熱交換器の目詰まりによる能力低下を抑えることができる。
【発明を実施するための最良の形態】
【００１０】
第１の発明は、空気の吸込みおよび吹出しを行なう送風ファンと、前記送風ファンの風路中に設けた熱交換器と、前記熱交換器に流入する空気中の塵埃を捕集するエアフィルタと、前記エアフィルタに捕集された塵埃を除去する塵埃除去用刷毛と、前記塵埃除去用刷毛で掃き取られて刷毛に付着したり刷毛の間に入り込んだ塵埃を除去する刷毛掃除手段、とを有する空気調和機であって、前記刷毛掃除手段は前記塵埃除去用刷毛に当たりながら、順次、相対的に移動するとしたものである。
【００１１】
これによって、簡単な構成でフィルタ清掃装置を清潔に保つことができるとともに、空気調和機の性能低下の防止が可能となる。
【００１２】
第２の発明は、特に第１の発明の空気調和機において、塵埃除去用刷毛が移動することによって、塵埃除去用刷毛でエアフィルタ上の塵埃を掃き取り取り、除去するとしたものである。
【００１３】
これによって、簡単な構成により塵埃の除去が可能となり、性能低下が防止できる。
【００１４】
第３の発明は、特に第１の発明の空気調和機において、エアフィルタが移動することによって、塵埃除去用刷毛でエアフィルタ上の塵埃を除去するとしたものである。
【００１５】
これによって、塵埃の回収が容易になり、性能低下が防止できる。
【００１６】
第４の発明は、特に第１〜３の発明において、刷毛掃除手段を薄板とし、前記薄板の面側を塵埃除去用刷毛に対して当てることを特徴とするものである。
【００１７】
これによって、刷毛掃除手段自体には、塵埃が絡みつくことなく、着実に塵埃を回収することができる。
【００１８】
第５の発明は、特に第１〜４の発明において、塵埃除去用刷毛の長手方向に対して駆動可能なベルトを有し、前記ベルトの上に刷毛掃除手段である薄板を少なくとも一つ配置することを特徴とするものである。これによって、清掃用刷毛に絡みついた塵埃を円滑に除去できる。
【００１９】
第６の発明は、特に第４または５の発明において、ベルトの上に設置された薄板が、ゴムなどに代表される軟質材であることを特徴とするものである。これによって、清掃場所の状況に応じて薄板が変形し確実に塵埃を除去することが出来る。
【００２０】
第７の発明は、特に第１〜６の発明において、エアフィルタを介して少なくとも前記塵埃除去用刷毛と対向する位置に、塵埃受け手段を設けたことを特徴とするものである。
【００２１】
これによって、清掃用刷毛がエアフィルタ上の塵埃を掃き取る際に、フィルタ目よりも小さい塵埃を落下させた場合でも、熱交換器に付着させることなく回収することができる。
【００２２】
第８の発明は、特に第７の発明において、塵埃受け手段を皿状とし、塵埃除去用刷毛と同一線上に位置して更に塵埃除去用刷毛と同期しながら移動することを特徴とするものである。これによって、フィルタ目を通過して落下した塵埃を着実に受け止め、回収することが可能である。
【００２３】
第９の発明は、特に第１〜８の発明において、塵埃を回収する塵埃回収手段を有することを特徴とするものである。これによって、塵埃回収手段だけを取外しすることによって
、回収した塵埃を容易に廃棄することができる。
【００２４】
以下、本発明の実施の形態について、図面を参照しながら説明する。なお、この実施の形態によって本発明が限定されるものではない。
【００２５】
（実施の形態１）
図１〜３は、本発明の第１の実施の形態における空気調和機のフィルタ装置を示すものである。
【００２６】
図１において、熱交換器（図示せず）を通過する空気の塵埃を除去するエアフィルタ１は、フィルタ枠２に取り付けられ、エアフィルタ１の表面に沿って左右に移動可能な塵埃除去用刷毛として清掃用刷毛３が設けられている。清掃用刷毛３は、フィルタ枠２の上下端に設けられたガイドレール４に接続されている。また、図１および図２に示すように、清掃用刷毛３の下側には清掃用刷毛３と同一線上で、エアフィルタ１を挟むような状態で塵埃受け手段となる受け皿５が設けられており、受け皿５は清掃用刷毛３と同期して動くように構成されている。更に、図１および図３に示すように、フィルタ枠２の左端には清掃用刷毛３で掃き取った塵埃を回収する回収装置６が設けられ、回収装置６で回収した塵埃を溜める塵埃回収手段となる回収箱７が取り付けられている。
【００２７】
図３は、本実施の形態における回収装置６の詳細を示した模式図である。図３において、回収装置６には、清掃用刷毛３の刷毛部３ａの断面に沿うようにベルト９が設置され、ベルト９の表面には、薄板１０が固着されている。薄板１０は軟質材であるゴム材を使用している。ベルト９には複数の駆動穴が設けられ、図示しないモータによって駆動される図中のギア１１に噛み合うことで駆動される。また、回収箱７は垂直方向に対して斜めに設置され、空気調和機本体より取り外しが可能な構造となっている。
【００２８】
以上のように構成された空気調和機のフィルタ装置について、以下その動作、作用を説明する。
【００２９】
まず、エアフィルタ１の清掃運転が開始されると、清掃用刷毛３はエアフィルタ１に付着した塵埃を掃き取りながら移動する。清掃用刷毛３は左右駆動装置８とフィルタ枠２の上下端に設置されたガイドレール４により、エアフィルタ１と狭い間隙を保って円滑に左右に移動する。エアフィルタ１に付着した塵埃は清掃用刷毛３により掃き取られ、回収装置６の真上まで運ばれる。その後、回収装置６によって清掃用刷毛３に付着した埃が回収され、回収箱７の中へ塵埃が収納される。
【００３０】
ここで、清掃用刷毛３がエアフィルタ１上の塵埃を掃き取る際にフィルタ目よりも小さい塵埃がエアフィルタ１をすり抜けて落下することも考えられるが、これらは清掃用刷毛３と同期して移動する塵埃受け手段である受け皿５によって回収されるため、熱交換器に付着することがなく、空気調和機の性能低下を防ぐことが可能となる。
【００３１】
次に、回収装置６の動作について説明する。図３〜５は、本実施の形態における回収装置６の模式図を示したものである。図１において清掃用刷毛３は、回収装置６の真上の位置に到達すると移動を停止するが、このとき、図３に示すように回収装置６のベルト９が矢印の方向に駆動を開始する。清掃用刷毛３の刷毛部３ａはベルト９に固着されている薄板１０に順次接触し、刷毛部３ａに付着した塵埃は薄板１０の側面でそぎ取るようにして清掃用刷毛３から回収される。更に図４に示すように、薄板１０でそぎ取られて回収された塵埃は、回収箱７の上部から落下させることによって、もしくは回収箱７の内壁面に沿わすことで回収箱７の下部に溜められていく。ここで、清掃用刷毛３から塵埃を除去する手段を薄板１０とすることで円滑に塵埃を除去できると共に、板形状なので、そのもの自
体には塵埃がからみつくことなく効率よく塵埃を回収することができる。またこの場合にも、清掃用刷毛３に薄板１０が接触することにより一部の塵埃が落下することも考えられるが、それらは受け皿５によって回収されるため、塵埃が空気調和機内に蓄積されることはない。
【００３２】
次に、図５に示すように薄板１０が折り返し地点を通過してベルト９に対して下部に位置する状態になると、薄板１０は清掃用刷毛３の下部に設けられた受け皿５に溜まった塵埃をかき集めながら移動する。ここで、薄板１０は受け皿５を通過すると、ベルト９と一定の間隙を保って構成されたケース１２に沿って塵埃をかき集めながら移動する。この一定間隙は、薄板１０の高さよりも少しだけ小さいものとする。ここで本実施の形態では薄板１０の部材をゴム材としている。これにより、力がかかって曲がってもすぐに元の形状に戻るため、受皿５の上の塵埃を清掃する際に受け皿５と薄板１０を互いに若干ラップするような距離に設置しておくことで、これらの間に多少の距離のバラツキが生じても、常に薄板１０と受け皿５が接触した状態にすることが出来る。したがって、確実に受け皿５に積もった塵埃を回収することができる。
【００３３】
更に薄板１０は、ベルト９の回転に伴い図５の矢印のように移動する。このとき薄板１０は、前面のエアフィルタ１を清掃する清掃用刷毛３の刷毛部３ａに付着した塵埃をかき取りながら垂直方向の下方から上方に向かって移動する。ここで、かき取られた塵埃は薄板１０上およびケース１２によって保持され、最終的に回収ケース７によって回収される。この場合においても、薄板１０はゴム材で構成されているためケース１２の壁面に密着しながら移動し、塵埃を確実に保持することができる。
【００３４】
以上のようにして回収箱７に回収された塵埃は、回収箱７を空気調和機本体から取り外すことによって、使用者が簡単に廃棄することが可能である。
【００３５】
ここで、清掃を行なわないときには薄板１０はＬ字に構成されたベルト９の内側に待避させ、清掃を開始するときは垂直に配置された清掃用刷毛３から行なうようにすると良い。これによって、エアフィルタ上の塵埃を掃き取り、回収装置６の真上に移動してくる清掃用刷毛３の進路を妨げることがない。
【００３６】
更に、清掃用刷毛３および受け皿５は空気調和機の運転中はエアフィルタ１上以外の場所に配置しておくことで、空気の吸入効率の低下を防止することができる。
【００３７】
以上のように本実施の形態においては、エアフィルタ１に捕集された塵埃を除去する清掃用刷毛３と、清掃用刷毛３で掃き取られて刷毛に付着したり刷毛の間に入り込んだ塵埃を除去する薄板１０とを有し、薄板１０は清掃用刷毛３に当たりながら、順次、相対的に移動するように構成したものである。これにより、簡単な構成で塵埃を除去することができるとともに、フィルタ清掃装置の高い性能確保と維持が可能となり、空気調和機の性能低下の防止を図ることができる。また、塵埃清掃用刷毛３を常に清潔に保つことができるのでフィルタ清掃装置のメンテナンスが不要となる。
【００３８】
なお、本実施の形態では刷毛掃除手段である薄板１０を一枚用いる構成としたが、２枚以上としてもよい。これにより、効率よく塵埃を除去することが可能となる。
【００３９】
なお、本実施の形態では、塵埃受け手段を皿状の受け皿５としたが、これをシート状としてもよいのは言うまでもない。
【００４０】
更に本実施の形態では、清掃用刷毛３および受け皿５が移動することによってエアフィルタ１上に捕集された塵埃を除去する構成として説明したが、エアフィルタ１を移動する
ことで該エアフィルタ１と清掃用刷毛３と相対的に接触さてエアフィルタ１を清掃する構成としてもよい。
【００４１】
この場合の一例として、エアフィルタ１の横幅全域の下部にわたって清掃用刷毛３を配置し、エアフィルタ１を上下方向に移動することでエアフィルタ１上に捕集された塵埃を掃きとることができる。更に薄板１０を前記清掃用刷毛３に沿って左右に駆動して清掃用刷毛３に付着した塵埃を除去する構成とすることで、簡単な構成での確実な塵埃除去が可能となる。
【産業上の利用可能性】
【００４２】
以上のように、本発明の空気調和機は、簡単な構成により、塵埃に対して高い清掃性能を確保、維持することができるため、清掃装置のメンテナンスを不要にすることができ、また機器の性能低下を防止できるため、家庭用や業務用の空気調和機や空気清浄機など塵埃を捕集するエアフィルタを備えた各種装置のフィルタ自動清掃の用途に適用できる。
【図面の簡単な説明】
【００４３】
【図１】本発明の実施の形態１における空気調和機のフィルタ装置図
【図２】本発明の実施の形態１における清掃用刷毛と受け皿の背面からの斜視図
【図３】本発明の実施の形態１における回収装置の模式図
【図４】本発明の実施の形態１における回収装置の模式図
【図５】本発明の実施の形態１における回収装置の模式図
【図６】従来の空気調和機のフィルタ装置図
【符号の説明】
【００４４】
１  エアフィルタ
２  フィルタ枠
３  清掃用刷毛
３ａ  清掃用刷毛の刷毛部
４  ガイドレール
５  受け皿
６  回収装置
７  回収箱
８  左右駆動装置
９  ベルト
１０  薄板
１１  ギア
１２  ケース
【図１】
2010112564.tif 000003
【図２】
2010112564.tif 000004
【図３】
2010112564.tif 000005
【図４】
2010112564.tif 000006
【図５】
2010112564.tif 000007
【図６】
2010112564.tif 000008